(57)【要約】【課題】  屋外の広場、建物の屋上等に敷設される屋外デッキ取付構造に関し、デッキ材間の隙間からコイン等の落下が防止され、また構造が簡単で施工も容易であり経済性にも優れた屋外デッキ取付構造を提供することを課題とする。【解決手段】  根太材の上部に配置された固定具の一方側は、台座部３６にデッキ材の側部近傍が載置されるとともにこのデッキ材の第一の溝部２６に第一の翼片４０が差し込まれ、このデッキ材の第一の突出部２８が第一の翼片４０の上部に位置する一方、この固定具の他方側は、台座部と第二の翼片４１との間に他のデッキ材の第二の突出部３２が嵌め入れられ、デッキ材の第一の突出部２８の端部の下方には、他のデッキ材の第二の突出部３２の端部又はこの第二の突出部の上面部３３が位置し、これらデッキ材間に隙間を設けて各デッキ材が固定具により根太材の上部に並べて固定される構成である。【選択図】  図１
2010144372.tif 000002
【特許請求の範囲】
【請求項１】
スラブ面に所定の間隔をおいて立設される支持脚と、
上記支持脚間に架設され並列に配置される根太材と、
上記根太材の上部に固定される台座部、この台座部の中間部から立設される支持部、この支持部の上端部から左右にそれぞれ突設される第一の翼片及び第二の翼片からなる固定具と、
上記根太材間に架設される長尺板材からなり、長手側の一方の側部の中央部には長手方向に第一の溝部が、またこの中央部から上側には第一の突出部がそれぞれ形成され、他方の側部の中央部から下側には第二の突出部が形成されたデッキ材と、を有し、
上記根太材の上部に配置された上記固定具の一方側は、上記台座部に上記デッキ材の側部近傍が載置されるとともにこのデッキ材の第一の溝部に上記第一の翼片が差し込まれ、このデッキ材の第一の突出部が上記第一の翼片の上部に位置する一方、この固定具の他方側は、上記台座部と第二の翼片との間に他の上記デッキ材の第二の突出部が嵌め入れられ、
上記デッキ材の第一の突出部の端部の下方には、上記他のデッキ材の第二の突出部の端部又はこの第二の突出部の上面部が位置し、これらデッキ材間に隙間を設けて各デッキ材が上記固定具により上記根太材の上部に並べて固定されることを特徴とする屋外デッキ取付構造。
【請求項２】
上記デッキ材の上記他方の側部の中央部には長手方向に第二の溝部が形成され、この第二の溝部に上記固定具の第二の翼片が差し込まれることを特徴とする請求項１記載の屋外デッキ取付構造。
【請求項３】
上記デッキ材の断面を対称な形状とし、このデッキ材の表裏の区別をなくしたことを特徴とする請求項２記載の屋外デッキ取付構造。
【発明の詳細な説明】
【技術分野】
【０００１】
本発明は、屋外の広場、建物の屋上等に敷設される屋外デッキ取付構造に関する。
【背景技術】
【０００２】
従来、屋外に敷設されるデッキには、雨水の排水に対する対策、またデッキ材同士の隙間からごみ、落ち葉、コイン或いは指輪等の貴重品などの落下物の落下を防止する対策がとられている。
【０００３】
例えば、特許文献１に記載のデッキ構造は図８に示すように、隣接するデッキ材９０の側面に設けられている嵌合溝９１，９２に、デッキ材連結具９３の係止部９４，９５を嵌合させると共に、規制爪９６にてデッキ材の位置決めをするようにしたものであり、また雨水を下に落すための入り組んだ構造の隙間（流路）も自動的に構築され、かつ突出片９７によってコイン等の落下も防止されるというものである。
【０００４】
また、特許文献２の屋外敷設床パネル構造は、床パネル間の隙間に透水性板材を介在させることで、ごみ、コイン等の落下を防止するものである。
特許文献３の床構造体は、隣合う床板が経時的に伸びを生じても側面同士が互いに突き合って反り、湾曲等の不具合が防止され、また雄実部に排水用切欠部などを設けていることから排水性能が確保できるというものである。
【０００５】
【特許文献１】特開２００７−３１４９４７号公報
【特許文献２】特許第４１１８４９３号公報
【特許文献３】特開２００５−３４４３７１号公報
【発明の開示】
【発明が解決しようとする課題】
【０００６】
さて、上記特許文献１のデッキ構造は、デッキ材の側部の構造が複雑であり、またデッキ連結具についても鉄板材を切り出して折り曲げ成形して形成されるものであり、ともに加工が容易ではないという問題がある。
また特許文献２の床パネル構造は、床パネル間の隙間全体に透水性板材を介在させるものであるため、コストアップを招くという問題がある。特許文献３の床構造体は、床板同士が密着する構造であるため、特別に排水用切欠部を設ける等の処置が必要であり製造工程が増えるという問題がある。
【０００７】
本発明は上記問題点を解決するためになされたものであり、デッキ材間の隙間からコイン等の落下が防止され、また構造が簡単で施工も容易であり経済性にも優れた屋外デッキ取付構造を提供することを目的とする。
【課題を解決するための手段】
【０００８】
以上の技術的課題を解決するため、本発明に係る屋外デッキ取付構造は、図１，７等に示すように、スラブ面２に所定の間隔をおいて立設される支持脚４と、上記支持脚間に架設され並列に配置される根太材６と、上記根太材の上部に固定される台座部３６，７６、この台座部の中間部から立設される支持部３８、この支持部の上端部から左右にそれぞれ突設される第一の翼片４０及び第二の翼片４１からなる固定具１０，７０と、上記根太材間に架設される長尺板材からなり、長手側の一方の側部の中央部には長手方向に第一の溝部２６，６６が、またこの中央部から上側には第一の突出部２８，６８がそれぞれ形成され、他方の側部の中央部から下側には第二の突出部３２，６２が形成されたデッキ材８，５８と、を有し、上記根太材の上部に配置された上記固定具の一方側は、上記台座部３６，７６に上記デッキ材の側部近傍が載置されるとともにこのデッキ材の第一の溝部２６，６６に上記第一の翼片４０が差し込まれ、このデッキ材の第一の突出部２８，６８が上記第一の翼片４０の上部に位置する一方、この固定具の他方側は、上記台座部３６，７６と第二の翼片４１との間に他の上記デッキ材の第二の突出部３２，６２が嵌め入れられ、上記デッキ材の第一の突出部２８，６８の端部の下方には、上記他のデッキ材の第二の突出部３２，６２の端部又はこの第二の突出部の上面部３３，６３が位置し、これらデッキ材間に隙間５０，５１，５２，８０，８１，８２を設けて各デッキ材が上記固定具により上記根太材の上部に並べて固定される構成である。
【０００９】
本発明に係る屋外デッキ取付構造は、上記デッキ材８の上記他方の側部の中央部には長手方向に第二の溝部３０が形成され、この第二の溝部３０に上記固定具の第二の翼片４１が差し込まれる構成である。
【００１０】
本発明に係る屋外デッキ取付構造は、上記デッキ材の断面を対称な形状とし、このデッキ材の表裏の区別をなくした構成である。
【発明の効果】
【００１１】
本発明に係る屋外デッキ取付構造によれば、根太材の上部に配置された固定具の一方側は、台座部にデッキ材の側部近傍が載置され第一の溝部に第一の翼片が差し込まれる一方、この固定具の他方側は、台座部と第二の翼片との間に他のデッキ材の第二の突出部が嵌め入れられ、デッキ材の第一の突出部の端部の下方には、他のデッキ材の第二の突出部の端部又はこの第二の突出部の上面部が位置する構成としたから、簡易な形状のデッキ材により、コイン等の落下が防止されるとともに、雨水などの排水路が併せて形成されて機能的なデッキ構造が得られ、また落下防止のための格別の部材を用いることもなく、デッキ材の側部に段差及び溝を形成するのみの簡単な加工で済むため、施工性及び経済性に優れ、またデッキ材同士の隙間から直接下方のスラブ面が見えないため美感にも優れるという効果を奏する。
【００１２】
本発明に係る屋外デッキ取付構造によれば、デッキ材の他方の側部の中央部には長手方向に第二の溝部が形成され、この第二の溝部に固定具の第二の翼片が差し込まれる構成としたから、固定具によるデッキ材の保持固定が確実に行えるという効果がある。
【００１３】
本発明に係る屋外デッキ取付構造によれば、デッキ材の断面を対称な形状とし、このデッキ材の表裏の区別をなくした構成としたから、現場で作業する場合に、デッキ材の色合い汚れ具合などにより表裏を適宜に選択することが出来て使い勝手が良いという効果がある。
【発明を実施するための最良の形態】
【００１４】
以下、本発明に係る屋外デッキ取付構造の実施の形態を図面に基づいて説明する。
図１，４は、上記屋外デッキ取付構造を示したものである。この屋外デッキ取付構造は、スラブ面２上に立設配置される支持脚４、各支持脚間に配置される根太材６、及び根太材６の上部に敷設されるデッキ材８を有し、上記デッキ材８は固定具１０を用いて根太材６に取り付けられる。
【００１５】
上記支持脚４は、下部近傍に座金１２が螺着された鋼製の支持ボルト１４、この支持ボルト１４の上部に螺着され高さ調整可能な鋼製円板状の受け具１６及びこの受け具１６の上部に設けられる防振ゴム２０等を有する。上記受け具１６には、中央の孔部の下部にナット１８が固定されており、この受け具１６を支持ボルト１４に螺合しこれを上部から別のナット１９で締結する。上記根太材６は、上面部２２、側面部２３，２３及びフランジ部２４，２４を有する断面ハット形の鋼製の長尺材である。
【００１６】
上記デッキ材８は図２に示すように、長尺状の板材からなり長手側の一方の側部の中央部には長手方向に第一の溝部２６が形成され、この中央部から上側には第一の突出部２８が突条に形成され、またデッキ材８の他方の側部の中央部には長手方向に第二の溝部３０が形成され、この中央部から下側には第二の突出部３２が突条に形成されている。
【００１７】
また、上記デッキ材８の断面は対称（点対称）な形状であり、第一の突出部２８と第二の突出部３２との突出形状は同じである。このため、デッキ材８は表裏の区別がなく何れの面を表として使用してもよく、例えば作業現場において上質な面を表側にして使用することができる。
【００１８】
上記デッキ材８は耐候性を考慮して硬質の天然木材を使用しているが、他には再生木を用いることもできる。上記硬質の木材としては、マニルカラ、ジャラ、イペ、セランガンバツ等があり何れも耐候性に優れた材料である。上記再生木は、木粉、顔料にポリエチレン樹脂（又はポリプロピレン樹脂）などの合成樹脂を混ぜて板状に加工した人口木材であり、耐久性に優れ素足歩行にも馴染む材料である。これら硬質木材、再生木は、屋外での長期使用に耐える。
【００１９】
上記固定具１０は、アルミニウム合金の押し出し成形によるものであり（切断して使用）、他にステンレス材等の金属或いは合成樹脂材が用いられる。この固定具１０は図３に示すように、台座部３６、この台座部３６の中間部に立設される支持部３８、及びこの支持部３８の上端部から左右にそれぞれ突設形成された第一の翼片４０及び第二の翼片４１からなる。上記第二の翼片４１は、第一の翼片４０より支持部３８の幅（Ｖ）だけ長く形成されている。
【００２０】
上記台座部３６には、上記支持部３８からみて左右（図中）の台座片に分けられるが、この内右台座片の２箇所にビス孔４２，４２が設けられている。また、固定具１０の支持部３８には上下の二箇所に膨出部４４，４４が形成され、両翼片４０，４１にはそれぞれ係止用の突起４６が形成されている。
【００２１】
ここで、図１，４に示す上記屋外デッキを庭、屋外の広場等に敷設する場合の取付方法について説明する。先ず、コンクリートなどのスラブ面２の所定位置に、工具を用いて上記支持脚４を立設するための穴をあける。そして上記各穴内に、上記支持脚４の支持ボルト１４を埋設し、座金１２をスラブ面２の位置に調節して支持ボルト１４を固定する。また、支持脚４のナット１８，１９を操作して受け具１６の高さ調整を行なう。
【００２２】
上記支持脚４を立設後は、各支持脚４間に根太材６を架設し、支持脚４の受け具１８の上部に設けられた防振ゴム２０の上部に、上記根太材６のフランジ部２４，２４を載置する。そして、根太材６のフランジ部２４，２４をビス４８などの止着具を用いて受け具１８に固定する。各根太材６は、所定の間隔をおいて互いに平行に配置する。
【００２３】
次に、上記デッキ材８を上記配置した根太材６の上部にこれと直交する方向に配置し、上記固定具１０を用いてデッキ材８を根太材６の端から順に取り付ける。最初に、各根太材６の端部の上面部２２に固定具１０をビス４８を用いて固定する。なお、端部に用いる固定具１０として、支持部３８から一方側の第二の翼片４１及び台座部３６のみを有する形状（第一の翼片４０等を削除）のものを使用してもよい。
【００２４】
そして、最初の列に配置するデッキ材８の側部の第二の突出部３２を、上記固定具１０の台座部３６と第二の翼片４１との間に嵌め、さらにこの第二の翼片４１をデッキ材８の第二の溝部３０に差し込んで固定する。次に、上記デッキ材８の反対側の側部近傍を新しく配置した固定具１０の台座部３６に載置し、同時にこの固定具１０の第一の翼片４０をデッキ材８の第一の溝部２６に差し込み、ビス４８を用いて台座部３６を根太材６の上面部２２に固定する。これにより、デッキ材８の両側部が固定具１０で固定される。
【００２５】
上記と同様にして、次の列に配置するデッキ材８の側部の第二の突出部３２を、上記固定具１０の台座部３６と第二の翼片４１との間に嵌め、同時にこのデッキ材８の第二の溝部３０に第二の翼片４１を差し込ませて固定し、このデッキ材８の反対側の側部を新たな固定具１０で固定する。
【００２６】
このとき図５に示すように、上記デッキ材８同士の間には、固定具１０の支持部３８の幅（Ｖ：ここでは５ｍｍ）と同じ幅の隙間５１が両翼片４０，４１の下方に、またこれと同じ幅（Ｓ）の隙間５０が第二の翼片４１の上方に形成される。そして、一方のデッキ材８の第一の突出部２８の端部２９の真下に、他方のデッキ材８の第二の突出部３２の端部３５が位置する。
【００２７】
このため、上記隙間５０の下方全面には、上記第二の突出部３２の上面部３３が位置することになり、この隙間５０に嵌まったコイン等が上記上面部３３に突き当たってスラブ面２への落下を防止する。なお、コイン等の落下を防止するためには、他に第一の突出部２８とこの下方に位置する第二の突出部３２とが上下に重なるように、各突出部を延ばす（対応する相手側は後方へ縮める）こととしても良い。
【００２８】
また、上記デッキ材８間には、上下方向に水路が形成される上記隙間５０，５１に加えて、上下に位置する第一の突出部２８と第二の突出部３２との間に、両翼片４０，４１の板厚（Ｔ）に相当する隙間５２が形成される。このため、雨水等に関しては、上記デッキ材８間に形成される隙間５０，５１，５２を経由してスラブ面２に速やかに排水が行なわれる。
【００２９】
したがって、上記実施の形態によれば、簡易な形状のデッキ材８によりコイン等の落下が防止され、また雨水などの排水路が併せて形成され機能的なデッキ構造が得られる。また、コイン等の落下防止のための格別の部材を用いることもなく、デッキ材の側部に段差及び溝を形成するのみの簡単な加工で済むため、施工性及び経済性に優れる。
さらに、デッキ材同士の隙間から直接下方のスラブ面が見えないため美感にも優れ、またこの隙間はデッキ材の伸縮にも十分適応できる。またデッキ材は表裏の区別がないため、現場で作業する場合に、デッキ材の色合い汚れ具合などにより表裏を適宜に選択することが出来て使い勝手が良いという効果がある。
【００３０】
次に、図６，７に基づき、他の形態のデッキ材５８を用いた屋外デッキ取付構造について説明する。このデッキの構成部材に関して、上記デッキ材８を用いたものと同様のものは同一の符号を付してここでの詳細な説明は省略する。
【００３１】
このデッキ材５８は図６に示すように、長尺状の板材からなり長手側の一方の側部の中央部には長手方向に第一の溝部６６が形成され、この中央部から上側には第一の突出部６８が突条に形成され、また他方の側部の中央部から下側には第二の突出部６２が突条に形成されている。
このため、この形態のデッキ材５８は、上記デッキ材８と比べて第一の突出部６８を長く形成し、これと対応する他方の側部を縮めて溝部を無くした形状である。
【００３２】
この形態で用いる固定具７０については、支持部３８及び第一の翼片４０、第二の翼片４１の形状は上記固定具１０と同じである。またこの固定具７０の台座部７６は、支持部３８からみて左右（図中）の台座片に分けられるが、上記固定具１０の台座部３６とは左右対称の形状である。このため、台座部７６におけるビス孔４２，４２は左台座片に位置する。また、この形態のデッキ材５８の敷設に用いる支持脚４及び根太材６などは、上記デッキ材８の敷設で用いたものと同じである。
【００３３】
このデッキ材５８の敷設方法については、先ず上記デッキ材８の敷設方法と同様にスラブ面２に立設した各支持脚４間に根太材６を架設する。これら根太材６は、所定の間隔をおいて互いに平行に配置する。
【００３４】
次に、上記デッキ材５８を上記配置した根太材６の上部にこれと直交する方向に配置し、上記固定具７０を用いて順に取り付ける。最初に、各根太材６の端部の上面部２２に固定具７０をビス４８を用いて固定する。そして、最初の列に配置するデッキ材５８の側部の第一の突出部６８を、上記第一の翼片４０の上部に位置させるとともに、このデッキ材５８の第一の溝部６６にこの第一の翼片４０を差し込ませて固定する。
【００３５】
次に、上記デッキ材５８の反対側の側部近傍を新しく配置した固定具７０の台座部７６に載置し、同時にこの固定具７０の第二の翼片４１と台座部７６との間にこのデッキ材５８の第二の突出部６２を嵌め込み、ビス４８を用いて台座部７６を根太材６の上面部２２に固定する。これにより、デッキ材５８の両側が固定具７０で固定される。
【００３６】
上記と同様にして、次の列に配置するデッキ材５８の第一の突出部６８を、上記固定具７０の第一の翼片４０の上部に位置させるとともに、このデッキ材５８の第一の溝部６６にこの第一の翼片４０を差し込ませて固定し、このデッキ材５８の反対側の側部を新たな固定具７０で固定する。
【００３７】
このとき、上記デッキ材５８同士の間には、固定具７０の支持部３８の幅（５ｍｍ）と同じ幅の隙間８１が両翼片４０，４１の下方に、またこれと同じ幅の隙間８０が第二の翼片４１の上方に形成される。そして、一方のデッキ材５８の第一の突出部６８の端部の真下には、他方のデッキ材５８の第二の突出部６２の上面部６３が位置する。このため、上記隙間８０の下方全面には、第二の突出部６２の上面部６３が位置し、この隙間８０に嵌まったコイン等が上記上面部６３に突き当たってスラブ面２への落下を防止する。
【００３８】
また、上記デッキ材５８間には、上下方向に水路が形成される上記隙間８０，８１に加えて、上下に位置する第一の突出部６８と第二の突出部６２間に、両翼片４０，４１の板厚に相当する隙間８２が形成される。このため、雨水等に関しては、上記デッキ材５８間に形成される隙間８０，８１，８２を経由してスラブ面２に速やかに排水が行なわれる。
【００３９】
したがって、上記実施の形態によれば、簡易な形状のデッキ材５８によりコイン等の落下が防止され、また雨水の排水路が併せて形成され機能的なデッキ構造が得られる。また、コイン等の落下防止のための格別の部材を用いることもなく、デッキ材の側部に段差及び溝を形成するのみの簡単な加工で済むため、施工性及び経済性に優れ、さらにデッキ材同士の隙間から直接下方のスラブ面が見えないため美感にも優れ、またこの隙間はデッキ材の伸縮にも十分適応できる。
【図面の簡単な説明】
【００４０】
【図１】本発明の実施の形態に係る屋外デッキ取付構造の正面を示す図である。
【図２】実施の形態に係るデッキ材の斜視図である。
【図３】実施の形態に係る固定具の断面を示す図である。
【図４】実施の形態に係る屋外デッキ取付構造の側面を示す図である。
【図５】実施の形態に係る屋外デッキ取付構造の断面を示す図である。
【図６】他の形態に係るデッキ材の斜視図である。
【図７】他の形態に係る屋外デッキ取付構造の正面を示す図である。
【図８】従来例に係るデッキ構造を示す図である。
【符号の説明】
【００４１】
２  スラブ面
４  支持脚
６  根太材
８，５８  デッキ材
１０，７０  固定具
２６，６６  第一の溝部
３０  第二の溝部
２８，６８  第一の突出部
３２，６２  第二の突出部
３３，６３  上面部
３６，７６  台座部
３８  支持部
４０  第一の翼片
４１  第二の翼片
５０，５１，５２，８０，８１，８２  隙間
【図１】
2010144372.tif 000003
【図２】
2010144372.tif 000004
【図３】
2010144372.tif 000005
【図４】
2010144372.tif 000006
【図５】
2010144372.tif 000007
【図６】
2010144372.tif 000008
【図７】
2010144372.tif 000009
【図８】
2010144372.tif 000010